(57)【要約】【課題】不使用時には、バスルーム内の広さを制約することもなく、転倒等の危険性を有効に回避することができる新規なバスルームを提供する。【解決手段】浴槽２と、この浴槽２の隣に設けられた洗面カウンター３とを備えてなり、上記洗面カウンター３の下側には、ステップ４が該洗面カウンター３の手前側に引き出し可能に配設されてなる。【選択図】　　　　図１
2004041716.tif 000002
【特許請求の範囲】
【請求項１】
浴槽と、この浴槽の隣に設けられた洗面カウンターとを備えてなり、
上記洗面カウンターの下側には、ステップが該洗面カウンターの手前側に引き出し可能に配設されてなることを特徴とするバスルーム。
【請求項２】
前記洗面カウンターの下側には、前記ステップを支持する支持部材が固定され、前記浴槽の壁面には、前記ステップの側端側が挿入支持され該ステップの引き出し方向に該ステップをガイドするガイド溝が形成されてなることを特徴とする請求項１記載のバスルーム。
【請求項３】
前記洗面カウンターの手前側下面及び前記ステップの後端側上面には、互いに係合し該ステップの脱落を規制する一方及び他方の係合部が相対的に形成されてなることを特徴とする請求項１又は２記載の何れかのバスルーム。
【請求項４】
前記洗面カウンターには、プレート部と、このプレート部の手前端から垂下してなる垂下部と、この垂下部の下端から該プレート部の後端側に延設されてなるとともに上面は該プレート部の下面と面対向してなる一方の水平部とを有し、前記ステップには、浴槽への出入時に踏まれるステップ部と、このステップ部の後端から起立してなる起立部と、この起立部の上端から手前側に延設されてなるとともに上面は上記プレート部と水平となされ下面は上記ステップ部と面対向してなる他方の水平部とを有してなり、上記ステップが手前に引き出されることにより、上記垂下部の背面に上記他方の水平部の先端が当接するとともに、上記一方の水平部の後端は上記起立部の正面に当接するよう構成されてなることを特徴とする請求項１，２又は３記載の何れかのバスルーム。
【請求項５】
浴槽と、この浴槽の隣に設けられた洗面カウンターとを備えてなり、
上記洗面カウンターの下側には、支軸を介して該洗面カウンターに支持されてなるとともに、該支軸を中心に、該洗面カウンターの下側から該洗面カウンターの外側に露出されるよう回動可能とされてなるステップが配設され、
上記浴槽の壁面には、上記洗面カウンターの外側に露出したステップの端縁側が挿入され該ステップを支持する溝部が形成されてなることを特徴とするバスルーム。
【発明の詳細な説明】
【０００１】
【発明が属する技術分野】
本発明は、浴槽と、この浴槽の隣に洗面カウンターが設けられたバスルームに関するものである。
【０００２】
【従来の技術】
バスルームには、言うまでも無く浴槽が設けられており、この浴槽は一定の高さを有することから、浴槽を利用する場合には、この高さ以上に足を上げる必要がある。しかしながら、子供や老人にとって、こうした動作は必ずしも簡単ではない場合が多い。特に、バスルームの床から浴槽の上端までの長さが長い場合（浴槽の高さが高い場合）には、子供や老人にとっては極めて使い勝手が悪く、バスルーム内で転倒する危険性も否定できない。そこで、こうした使い勝手を良好とし、また、危険性を回避するために、浴槽の高さよりも低い補助台を用意し、この補助台を踏んだ後に浴槽内に入ったり、浴槽から出る場合にも、こうした補助台を使用することが考えられる。
【０００３】
【発明が解決しようとする課題】
しかしながら、こうした補助台をバスルーム内に置くことは、バスルーム内における使用可能な広さを制約することとなるばかりか、その設置位置によっては、体を支持する場所もなく却って危険性が高い場合がある。
【０００４】
そこで、本発明は、不使用時には、バスルーム内の広さを制約することもなく、転倒等の危険性を有効に回避することができる新規なバスルームを提供することを目的とする。
【０００５】
【課題を解決するための手段】
本発明は上記の課題を解決するために提案されたものであって、第１の発明（請求項１記載の発明）は、バスルームであって、浴槽と、この浴槽の隣に設けられた洗面カウンターとを備えてなり、上記洗面カウンターの下側には、ステップが該洗面カウンターの手前側に引き出し可能に配設されてなることを特徴とするものである。
【０００６】
この第１の発明によれば、洗面カウンター側から引き出されたステップに足をかけることにより、子供や老人であっても高く足を上げることなく浴槽に入り、又は該浴槽から出ることができ、極めて使い勝手の良いバスルームとすることができるとともに、出入りの際の危険性も有効に防止することができる。また、このステップは、不使用時には、洗面カウンターの下側に収納し、必要に応じて引き出して使用できることから、バスルーム内の使用可能な広さを制約することがない。
【０００７】
なお、この第１の発明において、上記ステップは、洗面カウンターの下側に、該洗面カウンターの手前側に引き出し可能に配設されていれば良く、その形状や材料、並びに構造が特に限定されるものではない。
【０００８】
また、第２の発明（請求項２記載の発明）は、上記第１の発明において、前記洗面カウンターの下側には、前記ステップを支持する支持部材が固定され、前記浴槽の壁面には、前記ステップの側端側が挿入支持され該ステップの引き出し方向に該ステップをガイドするガイド溝が形成されてなることを特徴とするものである。
【０００９】
この第２の発明では、ステップは、上記浴槽の壁面に形成されたガイド溝にガイドされるばかりではなく、手前側に引き出された場合には、上記洗面カウンターの下側に形成された支持部材に支持されるとともに、上記ガイド溝にも支持されることから、極めて安定した状態で、浴槽に出入りする人の荷重を支持することができる。
【００１０】
また、第３の発明（請求項３記載の発明）は、上記第１又は第２の何れかの発明において、前記洗面カウンターの手前側下面及び前記ステップの後端側上面には、互いに係合し該ステップの脱落を規制する一方及び他方の係合部が相対的に形成されてなることを特徴とするものである。
【００１１】
この第３の発明では、洗面カウンターの手前側下面とステップの後端側上面に互いに係合する一方及び他方の係合部が相対的に形成されてなることから、洗面カウンターからステップが脱落することがなく、操作性を向上させることができる。
【００１２】
また、第４の発明（請求項４記載の発明）は、上記第１，第２又は第３の何れかの発明において、前記洗面カウンターには、プレート部と、このプレート部の手前端から垂下してなる垂下部と、この垂下部の下端から該プレート部の後端側に延設されてなるとともに上面は該プレート部の下面と面対向してなる一方の水平部とを有し、前記ステップには、浴槽への出入時に踏まれるステップ部と、このステップ部の後端から起立してなる起立部と、この起立部の上端から手前側に延設されてなるとともに上面は上記プレート部と水平となされ下面は上記ステップ部と面対向してなる他方の水平部とを有してなり、上記ステップが手前に引き出されることにより、上記垂下部の背面に上記他方の水平部の先端が当接するとともに、上記一方の水平部の後端は上記起立部の正面に当接するよう構成されてなることを特徴とするものである。
【００１３】
この第４の発明では、ステップを手前に引き出すことにより、洗面カウンターの垂下部の背面とステップの他方の水平部の先端が当接し、また、洗面カウンターの一方の水平部とステップの起立部の正面とが当接することから、ステップに掛かる荷重を洗面カウンター及びステップの端部にも分けて掛けることができ、このため、このステップをより大きな荷重に耐えられるものとすることができる。
【００１４】
また、第５の発明（請求項５記載の発明）は、浴槽と、この浴槽の隣に設けられた洗面カウンターとを備えてなり、上記洗面カウンターの下側には、支軸を介して該洗面カウンターに支持されてなるとともに、該支軸を中心に、該洗面カウンターの下側から該洗面カウンターの外側に露出されるよう回動可能とされてなるステップが配設され、上記浴槽の壁面には、上記洗面カウンターの外側に露出したステップの端縁側が挿入され該ステップを支持する溝部が形成されてなることを特徴とするものである。
【００１５】
この第５の発明による場合であっても、上記第１の発明と同じように、使い勝手の良いバスルームとすることができ、不使用時においては、洗面カウンターの下側に収納することにより、バスルーム内の使用可能な広さを制約することがない。
【００１６】
【発明の実施の形態】
以下、本発明の実施の形態に係るバスルームについて、図面を参照しながら詳細に説明する。先ず、第１の実施の形態に係るバスルームについて説明する。
【００１７】
この第１の実施の形態に係るバスルーム１は、図１（ａ）に示すように、浴槽２と、洗面カウンター３と、ステップ４と、２つの支持部材５と、窓６とを備え、四方を壁面９等により囲われている。そして、上記浴槽２は、一般家庭でこれまでに用いられているものと同様に、ＦＲＰ，琺瑯，陶磁器等により上方に開口を備えた箱状に一体成形されてなるものであり、図示しない底板部は、この浴槽２の隣に形成された床面（符号は省略する。）よりもやや下方に位置し、該床面からは、（左）側壁８が起立してなる。そして、この浴槽２を構成する側壁８の外側面には、後述するステップ４の側端側が挿入されガイドされるガイド溝７が形成されている。また、上記洗面カウンター３は、硬質樹脂により一体成形されてなるものであって、図２（ａ）及び図２（ｂ）に示すように、平板状に成形されたプレート部１１を備えている。このプレート部１１は、上面に図示しない石鹸やシャンプー等が載置される部位であり、上記浴槽２を構成する側壁８とこの側壁８に対向するバスルーム１の側壁（符号は省略する。）までの長さを有し、後端側は、図２（ａ）に示すように、バスルーム１の壁面９内に埋め込まれている。また、このプレート部１１プレート部１１の手前端からは垂下部１２が垂下している。この垂下部１２は、洗面カウンター３の正面を形成する部位であり、背面には、一方の磁石１４が固定されている。また、この垂下部１２の下端から上記プレート部１１の後端側には、一方の水平部１３が延設されている。この一方の水平部１３は、上面が上記プレート部１１の下面と面対向してなるものであり、肉厚は、後述するステップ４を構成するステップ部２１の上面と他方の水平部２３の下面との間の長さと略同じ長さとされている。なお、プレート部１１の右端側（浴槽２側）は、上記垂下部１２の右端よりも浴槽側に突出している。また、この洗面カウンター３の手前側右端は三角形状の切欠きが設けられている。なお、この洗面カウンター３を構成する垂下部１２及び一方の水平部１３は、本発明を構成する一方の係合部である。
【００１８】
また、上記ステップ４は、図２（ａ）及び図３に示すように、平板状のステップ部２１と、このステップ部２１の後端から起立してなる起立部２２を備えている。このステップ部２１は、人が上記浴槽２に入る際、及び該浴槽２から出る際に踏まれる部位であり、上記洗面カウンター３を構成するプレート部１１と略同じ面積を備えている。なお、この実施の形態に係るステップ４では、上記ステップ部２１には、多数の貫通穴２７が穿設され、該ステップ部２１上の湯水を下方に流し、該ステップ部２１上において滑ることを防止しており、また、該ステップ４を引き出す際にはこの貫通孔２７に指を掛ける事ができる。また、このステップ部２１の後端には、上方に起立してなる起立部２２が形成され、この起立部２２の上端には、手前側に延設された他方の水平部２３が形成されている。この他方の水平部２３の上面は、上記洗面カウンター３を構成するプレート部１１の下面と水平となされ、厚みは、上記洗面カウンター３を構成するプレート部１１の下面と上記一方の水平部１３の上面との距離と略同じ長さとされている。そして、この他方の水平部２３の正面には、図２（ｂ）に示すように、このステップ４が手前に引き出された際に、上記一方の磁石１４に磁着される他方の磁石２４が固定されている。さらに、このステップ４には、上記ステップ部２１の右端から起立した右側起立部２５が形成され、この右側起立部２５の上端には、上記浴槽２の側壁８に形成されたガイド溝７内に挿入される右側水平部２６が形成されている。上記右側起立部２５の外側面は、図４に示すように、上記浴槽２の側壁８に摺接し又は近接している。また、上記右側水平部２６の幅は、上記ガイド溝７の幅と略同じ幅となされている。なお、このステップ４の後方に位置する壁面９には、該ステップ４の後端側が挿入される凹部９ａが形成されている。
【００１９】
また、上記各支持部材５は、それぞれ硬質樹脂又は金属によりＬ字状に一体成形されてなるものであって、バスルーム１の壁面９に固定された固定部５ａと、この固定部５ａの上端から手前に突出してなり、上記ステップ４を下方から支持する支持部５ｂとから構成されている。なお、このバスルーム１には、上記窓６が設けられ、該バスルーム１内から外部を眺めたり、バスルーム１内の湿気を換気することができるようにされている。
【００２０】
以下、上述した第１の実施の形態に係るバスルーム１を構成するステップ４の使用方法を簡単に説明する。先ず、このステップ４は、不使用時には、図１及び図２に示すように、上記洗面カウンター３の下側に収納されている。この状態において、上記ステップ４を構成するステップ部２１を手前に引き出すと、ステップ４は、上記２つの支持部材５に支持されながら、且つ、上記右側水平部２６が上記浴槽２に形成されたガイド溝７にガイドされながら移動（スライド）させられる。やがて、このステップ４を構成する上記他方の水平部２３の正面に固定された他方の磁石２４が、上記洗面カウンター３を構成する垂下部１２の背面に固定された一方の磁石１４に当接し又は接近することにより、該一方の磁石１４と他方の磁石２４とが磁着するとともに、それ以上の引き出しが規制される。この状態においては、上記ステップ４は、図２（ｂ）に示すように、後端側において、上記２つの支持部材５に支持されるとともに、他方の水平部２３は、上述したように、洗面カウンター３を構成するプレート部１１の下面と一方の水平部１３の上面との間に挟まれ、さらに、該ステップ４の右端側は（右側水平部２６は）、上記浴槽２に形成されたガイド溝７に支持される。
【００２１】
したがって、このように構成されたステップ４によれば、該ステップ４に足をかけることにより、子供や老人であっても高く足を上げることなく浴槽２内に出入りすることができ、人の荷重に対して変形又は傾斜することなく、安定した支持状態を実現することができる。また、このように引き出されたステップ４は、上記一方及び他方の磁石１４，２４により、不用意に壁面９側に移動しない。さらに、ステップ部２１には、多数の貫通穴２７が穿設されていることから、該ステップ部２１上において滑ることを防止することができる。また、このステップ４は、不使用時には、上記洗面カウンター３の下側に収納し、必要に応じて手前に引き出して使用できることから、バスルーム１内の使用可能な広さを制約することがない。なお、この第１の実施の形態に係るバスルーム１では、図２（ａ）及び（ｂ）に示すように、壁面９に設けた凹部９ａの深さは、上記起立部２２の板厚と略同じ深さとしたが、この図中の二点鎖線で示すように、該凹部９ａをより深いものとし、且つ、支持部材５及びガイド溝７を手前側により長く形成することにより、より幅の長いステップ４を用いることができる。
【００２２】
次に、第２の実施の形態に係るバスルーム４１について説明する。この第２の実施の形態に係るバスルーム４１は、図５（ａ）に示すように、浴槽４２と、洗面カウンター４３と、ステップ４４と、窓４５とを備え、四方を壁面４９等により囲われてなるものである。この浴槽４２は、上記の浴槽２と同じものであって、浴槽４２を構成する側壁４８には、後述するステップ４４が回動操作されることにより端縁側が挿入される溝部４７が水平方向に形成されている。また、洗面カウンター４３は、手前側右側端に三角形状の切欠きを有する板体から構成され、前述した第１の実施の形態に係るバスルーム１を構成するプレート部１１と同じように、上記浴槽２を構成する側壁８とこの側壁８に対向するバスルーム１の壁面（符号は省略する。）までの長さを有し、後端側は、壁面４９に当接している。そして、上記洗面カウンター４３には、支軸５１を介して、ステップ４４が回動可能に取り付けられている。この支軸５１は、上記洗面カウンター４３に形成された上記切欠きの近傍であって、該洗面カウンター４３の裏面に固定されている。
【００２３】
また、上記ステップ４４は、図５（ａ），図５（ｂ）及び図６に示すように、板体からなり、上面の手前側右側端部近傍には上記の支軸５１に連結された図示しない軸受が固定されている。なお、このステップ４４には、水はけを良くし、或いは、後述するステップ４４の引出しの際に指先にかけるための複数の貫通穴６１が設けられている。
【００２４】
したがって、上記ステップ４４を、図５（ａ）に示す状態、すなわち、上記洗面カウンター４３の下側に位置した状態から、上記支軸５１を中心に、該ステップ４４が露出するように回動操作し、図５（ｂ）及び図６に示すように、該ステップ４４の端縁を、上記浴槽４２の側壁４８に形成された溝部４７内に挿入することにより、該ステップ４４は、上記洗面カウンター４３と溝部４７とに支持され、浴槽４２に入る際や浴槽４２から出る際に使用可能な状態とされる。したがって、上記第１の実施の形態のバスルーム１のステップ４と同様に、このステップ４４に足をかけることにより、子供や老人であっても高く足を上げる必要がない。また、このステップ４４は、不使用時には、上記洗面カウンター４３の下側に収納し、必要に応じて回動させて引き出して使用できることから、バスルーム４１内の使用可能な広さを制約することがない。また、このステップ４４は、支軸５１，支軸受部及び溝部４７に支持されるものであることから、ステップ４４に荷重をかけてもこれら洗面カウンター４３及びガイド溝７によりこの荷重を確実に支持することができる。
【００２５】
【発明の効果】
前述した本発明の実施の形態の説明からも明らかなように、本発明（請求項１記載の発明）によれば、洗面カウンター側から引き出されたステップに足をかけることにより、子供や老人であっても高く足を上げることなく浴槽に入り、又は該浴槽から出ることができ、極めて使い勝手の良いバスルームとすることができるとともに、出入りの際の危険性も有効に防止することができる。また、このステップは、不使用時には、洗面カウンターの下側に収納し、必要に応じて引き出して使用できることから、バスルーム内の使用可能な広さを制約することがない。
【００２６】
また、第２の発明（請求項２記載の発明）では、ステップは、上記浴槽の壁面に形成されたガイド溝にガイドされるばかりではなく、手前側に引き出された場合には、上記洗面カウンターの下側に形成された支持部材に支持されるとともに、上記ガイド溝にも支持されることから、極めて安定した状態で、浴槽に出入りする人の荷重を支持することができる。
【００２７】
また、第３の発明（請求項３記載の発明）洗面カウンターの手前側下面とステップの後端側上面に互いに係合する一方及び他方の係合部が相対的に形成されてなることから、洗面カウンターからステップが脱落することがなく、操作性を向上させることができる。
【００２８】
また、第４の発明（請求項４記載の発明）では、ステップを手前に引き出すことにより、洗面カウンターの垂下部の背面とステップの他方の水平部の先端が当接し、また、洗面カウンターの一方の水平部とステップの起立部の正面とが当接することから、ステップに掛かる荷重を洗面カウンター及びステップの端部にも分けて掛けることができ、このため、このステップをより大きな荷重に耐えられるものとすることができる。
【００２９】
また、第５の発明（請求項５記載の発明）による場合であっても、上記第１の発明と同じように、使い勝手の良いバスルームとすることができ、不使用時においては、洗面カウンターの下側に収納することにより、バスルーム内の使用可能な広さを制約することがない。
【図面の簡単な説明】
【図１】本発明の第１の実施の形態に係るバスルームを示すものであって、（ａ）は、ステップが洗面カウンターの下側に収納された状態を示す斜視図であり、（ｂ）は、上記ステップが洗面カウンターの手前側に引き出された状態を示す斜視図である。
【図２】洗面カウンターとステップと支持部材との取付状態を示す側断面図であり、（ａ）は、ステップが洗面カウンターの下側に収納された状態を示す側断面図であり、（ｂ）は、上記ステップが洗面カウンターの手前側に引き出された状態を示す側断面図である。
【図３】本発明の第１の実施の形態に係るバスルームを構成するステップを示す斜視図である。
【図４】本発明の第１の実施の形態に係るバスルームを示す正断面図である。
【図５】本発明の第２の実施の形態に係るバスルームを示すものであって、（ａ）は、ステップが洗面カウンターの下側に収納された状態を示す斜視図であり、（ｂ）は、上記ステップが回動操作された後の状態を示す斜視図である。
【図６】本発明の第２の実施の形態に係るバスルームを示す平面図である。
【符号の説明】
１　　バスルーム
２　　浴槽
３　　洗面カウンター
４　　ステップ
６　　支持部材
７　　ガイド溝
８　　側壁
１１　　プレート部
１２　　垂下部
１３　　一方の水平部
２１　　ステップ部
２２　　起立部
２３　　他方の水平部
４１　　バスルーム
４２　　浴槽
４３　　洗面カウンター
４４　　ステップ
４７　　溝部
５１　　支軸
【図１】
2004041716.tif 000003
【図２】
2004041716.tif 000004
【図３】
2004041716.tif 000005
【図４】
2004041716.tif 000006
【図５】
2004041716.tif 000007
【図６】
2004041716.tif 000008